(57)【特許請求の範囲】
【請求項１】
原画像を絵画調画像に変換して印刷する絵画調印刷の機能を備えた画像印刷装置であって、
カラー印刷用インクとモノクロ印刷用インクとが交換可能とされたインク装着手段と、
前記インク装着手段に装着されたインクの種類の情報を取得するインク情報取得手段と、
複数の絵画調パターンが記憶された絵画調パターン記憶手段と、
前記インクの種類とそれぞれのインクで印刷を行うのに適した前記絵画調パターンとの対応関係である推奨絵画調パターンの情報が記憶された推奨絵画調パターン記憶手段と、
前記推奨絵画調パターンをユーザに報知する推奨絵画調パターン報知手段と、
前記原画像を前記ユーザが選択した前記絵画調パターンの前記絵画調画像に変換する絵画調変換手段と、
前記絵画調パターン記憶手段に記憶された前記複数の絵画調パターンとそれぞれの前記絵画調パターンに変換した前記絵画調画像を印刷するのに適した印刷用紙との対応関係である推奨印刷用紙の情報が記憶された推奨印刷用紙記憶手段と、
前記推奨印刷用紙を前記ユーザに報知する推奨印刷用紙報知手段と、
印刷を実行する印刷手段と、
を備え、
前記推奨絵画調パターン報知手段は、
前記インクの種類が前記カラー印刷用インクである場合には前記カラー印刷用インクで印刷を行うのに適した前記推奨絵画調パターンを前記ユーザに報知し、
前記インクの種類が前記モノクロ印刷用インクである場合には前記モノクロ印刷用インクで印刷を行うのに適した前記推奨絵画調パターンを前記ユーザに報知する、
ことを特徴とする画像印刷装置。
【請求項２】
前記推奨絵画調パターンに含まれるいずれかの前記絵画調パターンにおいて、前記絵画調パターンに対応する前記推奨印刷用紙に印刷を実行するのに適したインクの吐出量である推奨インク吐出量の情報が記憶された推奨インク吐出量記憶手段と、
前記推奨インク吐出量で印刷を実行するように前記印刷手段を制御する印刷制御手段と、を備える、
ことを特徴とする請求項１に記載の画像印刷装置。
【請求項３】
前記絵画調パターン記憶手段には、水彩画調、油彩画調、パステル画調、色鉛筆画調、水墨画調、石膏デッサン画調、クロッキー画調、鉛筆画調の８種類の前記絵画調パターンが記憶されている、
ことを特徴とする請求項１又は請求項２に記載の画像印刷装置。
【請求項４】
前記カラー印刷用インクに対応する前記推奨絵画調パターンは、前記水彩画調、前記油彩画調、前記パステル画調、前記色鉛筆画調であり、
前記モノクロ印刷用インクに対応する前記推奨絵画調パターンは、前記水墨画調、前記石膏デッサン画調、前記クロッキー画調、前記鉛筆画調である、
ことを特徴とする請求項３に記載の画像印刷装置。
【請求項５】
前記水彩画調に対応する前記推奨印刷用紙は滲むマット紙であり、
前記油彩画調に対応する前記推奨印刷用紙は光沢紙であり、
前記パステル画調に対応する前記推奨印刷用紙は前記光沢紙であり、
前記色鉛筆画調に対応する前記推奨印刷用紙はマット紙であり、
前記水墨画調に対応する前記推奨印刷用紙は滲む和紙であり、
前記石膏デッサン画調に対応する前記推奨印刷用紙はオフホワイトの用紙であり、
前記クロッキー画調に対応する前記推奨印刷用紙は前記オフホワイトの用紙であり、
前記鉛筆画調に対応する前記推奨印刷用紙は前記マット紙である、
ことを特徴とする請求項３又は請求項４に記載の画像印刷装置。
【請求項６】
表示手段を備え、
前記推奨絵画調パターン報知手段は、前記推奨絵画調パターンを選択肢として前記表示手段に表示させる制御を実行し、
前記推奨印刷用紙報知手段は、前記推奨印刷用紙をユーザに推奨する表示を前記表示手段に表示させる制御を実行する、
ことを特徴とする請求項１乃至請求項５のいずれか１項に記載の画像印刷装置。
【請求項７】
前記推奨絵画調パターンに含まれるいずれかの前記絵画調パターンにおいて、前記絵画調パターンに対応する前記推奨印刷用紙に印刷を実行するのに適したインクの吐出量である推奨インク吐出量を前記ユーザに報知する推奨インク吐出量報知手段を備え、
前記推奨インク吐出量報知手段は、前記推奨インク吐出量を前記表示手段に表示させる制御を実行する、
ことを特徴とする請求項６に記載の画像印刷装置。
【請求項８】
複数の絵画調パターンが記憶された絵画調パターン記憶手段を有して、原画像をいずれかの当該絵画調パターンの絵画調画像に変換し、当該絵画調画像を印刷する絵画調印刷の機能を備えた画像印刷装置で当該絵画調画像を印刷する画像印刷方法であって、
カラー印刷用インクとモノクロ印刷用インクとが交換可能とされたインク装着手段に装着されたインクの種類の情報を取得するインク情報取得処理と、
前記インクの種類とそれぞれのインクで印刷を行うのに適した前記絵画調パターンとの対応関係である推奨絵画調パターンの情報が記憶された推奨絵画調パターン記憶手段から前記推奨絵画調パターンを読み込む推奨絵画調パターン読込処理と、
前記推奨絵画調パターンをユーザに報知する推奨絵画調パターン報知処理と、
前記原画像を、前記複数の絵画調パターンの中から前記ユーザが選択した前記絵画調パターンの前記絵画調画像に変換する絵画調変換処理と、
前記絵画調パターン記憶手段に記憶された前記複数の絵画調パターンとそれぞれの前記絵画調パターンに変換した前記絵画調画像を印刷するのに適した印刷用紙との対応関係である推奨印刷用紙の情報が記憶された推奨印刷用紙記憶手段から当該推奨印刷用紙を読み込む推奨印刷用紙読込処理と、
前記推奨印刷用紙を前記ユーザに報知する推奨印刷用紙報知処理と、
印刷を実行する印刷処理と、
を実行し、
前記推奨絵画調パターン報知処理では、
前記インクの種類が前記カラー印刷用インクである場合には前記カラー印刷用インクで印刷を行うのに適した前記推奨絵画調パターンを前記ユーザに報知し、
前記インクの種類が前記モノクロ印刷用インクである場合には前記モノクロ印刷用インクで印刷を行うのに適した前記推奨絵画調パターンを前記ユーザに報知する、
ことを特徴とする画像印刷方法。
【請求項９】
複数の絵画調パターンが記憶された絵画調パターン記憶手段を有して、原画像をいずれかの当該絵画調パターンの絵画調画像に変換し、当該絵画調画像を印刷する絵画調印刷の機能を備えた画像印刷装置に実行させるための画像印刷プログラムであって、
カラー印刷用インクとモノクロ印刷用インクとが交換可能とされたインク装着手段に装着されたインクの種類の情報を取得するインク情報取得処理と、
前記インクの種類とそれぞれのインクで印刷を行うのに適した前記絵画調パターンとの対応関係である推奨絵画調パターンの情報が記憶された推奨絵画調パターン記憶手段から前記推奨絵画調パターンを読み込む推奨絵画調パターン読込処理と、
前記推奨絵画調パターンをユーザに報知する推奨絵画調パターン報知処理と、
前記原画像を、前記複数の絵画調パターンの中から前記ユーザが選択した前記絵画調パターンの前記絵画調画像に変換する絵画調変換処理と、
前記絵画調パターン記憶手段に記憶された前記複数の絵画調パターンとそれぞれの前記絵画調パターンに変換した前記絵画調画像を印刷するのに適した印刷用紙との対応関係である推奨印刷用紙の情報が記憶された推奨印刷用紙記憶手段から前記推奨印刷用紙を読み込む推奨印刷用紙読込処理と、
前記推奨印刷用紙を前記ユーザに報知する推奨印刷用紙報知処理と、
印刷を実行する印刷処理と、
を実行させ、
前記推奨絵画調パターン報知処理では、
前記インクの種類が前記カラー印刷用インクである場合には前記カラー印刷用インクで印刷を行うのに適した前記推奨絵画調パターンを前記ユーザに報知し、
前記インクの種類が前記モノクロ印刷用インクである場合には前記モノクロ印刷用インクで印刷を行うのに適した前記推奨絵画調パターンを前記ユーザに報知する、
ことを特徴とするコンピュータ読み取り可能な画像印刷プログラム。
【発明の詳細な説明】
【技術分野】
【０００１】
本発明は、インクやトナーなどの着色剤の種類に合わせて写真を絵画調に変換して印刷を実行する画像印刷装置及び画像印刷方法と、画像印刷装置に画像印刷方法を実行させるための画像印刷プログラムと、に関する。
【背景技術】
【０００２】
近年の印刷装置では、印刷対象によって使用するインクを変える機能や、印刷用紙を変更する機能を備えたものがある。例えば、特開２００５−１２５２号公報（特許文献１）では、印刷対象が画像中心のものであれば光沢紙を自動で選択し、文書が中心であれば普通紙を自動で選択する機能を備えた印刷装置の提案がなされている。また、特開２００２−１６６５３８号公報（特許文献２）では、文書などの白黒画像を印刷するときは緩浸透性の黒インクを使用し、カラー印刷では超浸透性の黒インクを使用する提案がなされている。さらに、特開平５−１３８９４８号公報（特許文献３）では、インクの残量に応じてカラー印刷かモノクロ印刷かを自動で選択する機能を備えた印刷装置の提案がなされている。
【０００３】
また、本願出願人は先の出願（未公開：特願２０１０−２８２６４０）において、写真画像を水彩画調、油彩画調、色鉛筆画調、パステル画調などの絵画調に変換する絵画調変換機能を備えた画像印刷装置の提案を行っている。
【先行技術文献】
【特許文献】
【０００４】
【特許文献１】特開２００５−１２５２号公報
【特許文献２】特開２００２−１６６５３８号公報
【特許文献３】特開平５−１３８９４８号公報
【発明の概要】
【発明が解決しようとする課題】
【０００５】
絵画調変換機能を備えた画像印刷装置では、絵画調変換を行った画像を印刷することにより写真などをそのまま印刷した場合とは異なる趣向を有した印刷物を提供できるが、紙質やインクの使い方などは変化しないため、絵画としての質感を高めることが困難であった。また、従来技術を参照しても、絵画調変換した画像の質感を高めるためにインクやインクの吐出量を変更したり、印刷用紙を変更したりする提案はなされていない。
【０００６】
本発明は、このような従来技術の問題点に鑑みてなされたものであり、絵画調変換機能を備えた画像印刷装置であって、絵画調に変換した画像による印刷の質感を高くした絵画の印刷を可能とする画像印刷装置と、この画像印刷方法と、画像印刷装置にこの画像印刷方法を実行させるための画像印刷プログラムと、を提供することを目的としている。
【課題を解決するための手段】
【０００７】
前記課題を解決するために、本発明の画像印刷装置の一態様は、原画像を絵画調画像に変換して印刷する絵画調印刷の機能を備えた画像印刷装置であって、カラー印刷用インクとモノクロ印刷用インクとが交換可能とされたインク装着手段と、前記インク装着手段に装着されたインクの種類の情報を取得するインク情報取得手段と、複数の絵画調パターンが記憶された絵画調パターン記憶手段と、前記インクの種類とそれぞれのインクで印刷を行うのに適した前記絵画調パターンとの対応関係である推奨絵画調パターンの情報が記憶された推奨絵画調パターン記憶手段と、前記推奨絵画調パターンをユーザに報知する推奨絵画調パターン報知手段と、前記原画像を前記ユーザが選択した前記絵画調パターンの前記絵画調画像に変換する絵画調変換手段と、前記絵画調パターン記憶手段に記憶された前記複数の絵画調パターンとそれぞれの前記絵画調パターンに変換した前記絵画調画像を印刷するのに適した印刷用紙との対応関係である推奨印刷用紙の情報が記憶された推奨印刷用紙記憶手段と、前記推奨印刷用紙を前記ユーザに報知する推奨印刷用紙報知手段と、印刷を実行する印刷手段と、を備え、前記推奨絵画調パターン報知手段は、前記インクの種類が前記カラー印刷用インクである場合には前記カラー印刷用インクで印刷を行うのに適した前記推奨絵画調パターンを前記ユーザに報知し、前記インクの種類が前記モノクロ印刷用インクである場合には前記モノクロ印刷用インクで印刷を行うのに適した前記推奨絵画調パターンを前記ユーザに報知する、ことを特徴とする。
【０００８】
また、前記課題を解決するために、本発明の画像印刷方法の一態様は、複数の絵画調パターンが記憶された絵画調パターン記憶手段を有して、原画像をいずれかの当該絵画調パターンの絵画調画像に変換し、当該絵画調画像を印刷する絵画調印刷の機能を備えた画像印刷装置で当該絵画調画像を印刷する画像印刷方法であって、カラー印刷用インクとモノクロ印刷用インクとが交換可能とされたインク装着手段に装着されたインクの種類の情報を取得するインク情報取得処理と、前記インクの種類とそれぞれのインクで印刷を行うのに適した前記絵画調パターンとの対応関係である推奨絵画調パターンの情報が記憶された推奨絵画調パターン記憶手段から前記推奨絵画調パターンを読み込む推奨絵画調パターン読込処理と、前記推奨絵画調パターンをユーザに報知する推奨絵画調パターン報知処理と、前記原画像を、前記複数の絵画調パターンの中から前記ユーザが選択した前記絵画調パターンの前記絵画調画像に変換する絵画調変換処理と、前記絵画調パターン記憶手段に記憶された前記複数の絵画調パターンとそれぞれの前記絵画調パターンに変換した前記絵画調画像を印刷するのに適した印刷用紙との対応関係である推奨印刷用紙の情報が記憶された推奨印刷用紙記憶手段から当該推奨印刷用紙を読み込む推奨印刷用紙読込処理と、前記推奨印刷用紙を前記ユーザに報知する推奨印刷用紙報知処理と、印刷を実行する印刷処理と、を実行し、前記推奨絵画調パターン報知処理では、前記インクの種類が前記カラー印刷用インクである場合には前記カラー印刷用インクで印刷を行うのに適した前記推奨絵画調パターンを前記ユーザに報知し、前記インクの種類が前記モノクロ印刷用インクである場合には前記モノクロ印刷用インクで印刷を行うのに適した前記推奨絵画調パターンを前記ユーザに報知する、ことを特徴とする。
【０００９】
また、前記課題を解決するために、本発明のコンピュータ読み取り可能な画像印刷プログラムの一態様は、
複数の絵画調パターンが記憶された絵画調パターン記憶手段を有して、原画像をいずれかの当該絵画調パターンの絵画調画像に変換し、当該絵画調画像を印刷する絵画調印刷の機能を備えた画像印刷装置に実行させるための画像印刷プログラムであって、カラー印刷用インクとモノクロ印刷用インクとが交換可能とされたインク装着手段に装着されたインクの種類の情報を取得するインク情報取得処理と、前記インクの種類とそれぞれのインクで印刷を行うのに適した前記絵画調パターンとの対応関係である推奨絵画調パターンの情報が記憶された推奨絵画調パターン記憶手段から前記推奨絵画調パターンを読み込む推奨絵画調パターン読込処理と、前記推奨絵画調パターンをユーザに報知する推奨絵画調パターン報知処理と、前記原画像を、前記複数の絵画調パターンの中から前記ユーザが選択した前記絵画調パターンの前記絵画調画像に変換する絵画調変換処理と、前記絵画調パターン記憶手段に記憶された前記複数の絵画調パターンとそれぞれの前記絵画調パターンに変換した前記絵画調画像を印刷するのに適した印刷用紙との対応関係である推奨印刷用紙の情報が記憶された推奨印刷用紙記憶手段から前記推奨印刷用紙を読み込む推奨印刷用紙読込処理と、前記推奨印刷用紙を前記ユーザに報知する推奨印刷用紙報知処理と、印刷を実行する印刷処理と、を実行させ、前記推奨絵画調パターン報知処理では、前記インクの種類が前記カラー印刷用インクである場合には前記カラー印刷用インクで印刷を行うのに適した前記推奨絵画調パターンを前記ユーザに報知し、前記インクの種類が前記モノクロ印刷用インクである場合には前記モノクロ印刷用インクで印刷を行うのに適した前記推奨絵画調パターンを前記ユーザに報知する、ことを特徴とする。
【発明の効果】
【００１０】
本発明によれば、絵画調変換機能を備えた画像印刷装置であって、絵画調に変換した画像による印刷の質感を高くした絵画の印刷を可能とする画像印刷装置と、この画像印刷方法と、画像印刷装置にこの画像印刷方法を実行させるための画像印刷プログラムと、を提供することができる。
【図面の簡単な説明】
【００１１】
【図１】本発明の実施形態に係る画像印刷装置の斜視図である。
【図２】上記画像印刷装置の断面模式図である。
【図３】上記画像印刷装置の機能ブロック図である。
【図４】絵画調パターンと印刷用紙の種類、インクの種類、インクの吐出量との対応関係を示す説明図である。
【図５】上記画像印刷装置で絵画調画像を印刷する場合の制御フローに関するフローチャートである。
【図６】上記画像印刷装置の表示部に表示される画面の例を示す参考図である。
【発明を実施するための形態】
【００１２】
以下、本発明を実施するための形態について述べる。図１は、本発明の実施形態に係る画像印刷装置の斜視図であり、図２は、この画像印刷装置の内部構成を示す断面模式図であり、図３は、画像印刷装置における回路構成を示す機能ブロック図である。なお、図２は、見やすくなるようにハッチングを除いて描いている。
【００１３】
本実施形態に係る画像印刷装置1は、写真やスキャン画像などを絵画調に変換する絵画調変換機能を備えた印刷装置であり、変換後の絵画調画像を印刷するとき質感を高くするため、変換した絵画調のパターンに応じて印刷用紙の種類を推奨したり、インクの吐出量を絵画調パターンに応じて変化させたりする制御を行う。
【００１４】
この画像印刷装置1は、メモリーカードなどの着脱可能な可搬型記憶媒体に記憶された画像を葉書（１００×１４８ｍｍ）、Ｌ判（８９×１２７ｍｍ）、２Ｌ判（１７８×１２７ｍｍ）などの比較的小さな印刷用紙に印刷を実行する印刷装置であり、住所録を作成する機能、住所録から自動で葉書に宛名書をする機能、文章を編集する機能、取り込んだ画像と文章とを組み合わせて葉書に印刷する機能、画像処理機能などを備えている。
【００１５】
また、画像印刷装置1は、図１に示すように、箱形の筐体2を備え、筐体2の前方にはキーボード3が配置されている。このキーボード3は、筐体2の前方下端近傍に回動可能に装着されており、使用状態では図１に示したように前方に倒され、使用しない場合には筐体2の前面と対向した状態で収納されている。
【００１６】
筐体2の前面には、印刷が完了した葉書や写真などの印刷用紙10が排出される排紙口5と、可搬型記憶媒体を挿入可能な記憶媒体挿入口6と、が形成されている。画像印刷装置1は、この記憶媒体挿入口6を備えることにより、可搬型記憶媒体からデジタルカメラで撮影された写真の画像データなどを取り込み可能であるとともに、画像印刷装置1で編集したデータを保存可能である。
【００１７】
筐体2の上面には、タッチパネル8が配置され、筐体2の正面方向に回動可能とされている。また、筐体2の上部には、筐体2の後方側から筐体2の上方までの間を回動可能な取っ手15が装着されている。この取っ手15は、略コ字状に形成され、画像印刷装置1の運搬時などに把持されて使用される。
【００１８】
そして、画像印刷装置1は、図２に示すように、筐体2の背面に開口する空腔部16を有し、この空腔部16の開口を塞ぐように給紙トレイ18が配置されている。この給紙トレイ18は、筐体2の後方であって下方近傍位置に軸着されており、前後方向に回動可能とされ、印刷用紙10を複数重ねて収容することができるようになっている。
【００１９】
給紙トレイ18の内側であって上方位置には、給紙トレイ18に収容された印刷用紙10を１枚ずつ下方に送り出すピックアップローラ19が配置されている。また、給紙トレイ18の下端近傍には、ピックアップローラ19によって下方に送り出された印刷用紙10を筐体2の排紙口5方向へと搬送する搬送ローラ20a,20bが配置されている。
【００２０】
筐体2の内部であって搬送ローラ20a,20bの前方近傍には、印刷手段とされる印刷ヘッド21が配置されている。この印刷ヘッド21は、インク装着手段としてのインク装着部25に取り付けられており、インク装着部25は、カラー印刷用インクとモノクロ印刷用インクとを交換可能とされている。カラー印刷用インクは、シアン、マゼンタ、イエローのカートリッジから構成され、モノクロ印刷用インクは、ブラック、グレー、ライトグレーのカートリッジから構成される。なお、カラー印刷用インク及びモノクロ印刷用インクは、この構成に限定されるわけではなく、他の色を備える、あるいは、グレーやライトグレーを備えていない構成としてもよく、カラー印刷に特化したインクとモノクロ印刷に特化したインクとであればよい。
【００２１】
また、筐体2の内部であって印刷ヘッド21の前方には、印刷を完了した印刷用紙10を排紙口5から排出する排紙ローラ22a,22bが配置されている。この搬送ローラ20a,20bと排紙ローラ22a,22bは、図示しないステッピングモータによって回転を制御されて、所定速度で印刷用紙10を搬送している。
【００２２】
そして、給紙トレイ18に収容された印刷用紙10は、ピックアップローラ19によって前方に位置する印刷用紙10から順に下方に送り出され、搬送ローラ20a,20bとの間に挟み込まれた状態で印刷ヘッド21の下方に繰り出され、印刷が完了後、排紙ローラ22a,22bの間に挟み込まれて排紙口5から外部へと排出される。
【００２３】
この画像印刷装置1は、図３に示すように、制御部41（制御手段）としてのＣＰＵと、記憶部（記憶手段）としてのＲＯＭ42やＲＡＭ43と、キーボード3やタッチパネル8から構成される入力部45（入力手段）と、タッチパネル8である表示部46（表示手段）と、上述した印刷ヘッド21、ピックアップローラ19、搬送ローラ20a,20b、排紙ローラ22a,22b、各ローラを回転させるステッピングモータなどによって構成される印刷部48（印刷手段）と、スピーカーなどの音声出力部49と、インク情報取得部50と、を備えた回路により構成される。
【００２４】
制御部41は、入力部45からの入力信号に応じて、又は、自動でＲＯＭ42に予め記憶されているシステムプログラム、メモリーカードに記憶された制御プログラムなどを起動させ、ＲＡＭ43をワークメモリとして回路各部の動作を制御する。ＲＯＭ42は、文書編集時に使用する文字フォントや印刷の字体のデータ、編集する印刷用紙の規格データ、その他の制御プログラムなどが記憶されている。ＲＡＭ43は、入力部45で入力された文字などの文書の編集情報、タッチパネル8に表示される表示データ、画像処理中の画像情報などを記憶するワークメモリである。
【００２５】
入力部45は、画像処理における操作や画像選択、印刷実行など画像印刷装置1におけるあらゆる入力に使用され、ユーザが操作すると所定の信号を制御部41に送出する。表示部46は、可搬型記憶媒体から読み込んだ画像や各種メニュー、操作における選択肢、エラーメッセージ、推奨絵画調パターン、推奨印刷用紙などを表示する。
【００２６】
印刷部48は、印刷用紙10を搬送しながら用紙に印刷を行う。音声出力部49は、エラー音や操作の音声案内など音声メッセージを出力する。インク情報取得部50は、インク装着部25に装着されているインクがカラー印刷用インクであるかモノクロ印刷用インクであるかの情報を取得し、制御部41にインク情報を送出する。
【００２７】
次に、絵画調変換機能および絵画調画像の印刷に関して述べる。本実施形態における画像印刷装置1は、上述したように、写真やスキャン画像などを絵画調に変換する絵画調変換機能を有しており、さらに、変換後の絵画調画像の印刷を質感の高いものとするため、インク装着部25に装着されているインクで印刷を実行するのに適した絵画調パターンを推奨したり、実際の絵画で使用されるような印刷用紙10を推奨したり、印刷実行時においてはインクの吐出量も絵画調パターンに合わせて変化させたりするものである。
【００２８】
具体的に述べると、本実施形態における画像印刷装置1は、絵画調画像への変換パターンとして、水彩画調、油彩画調、パステル画調、色鉛筆画調、水墨画調、石膏デッサン画調、クロッキー画調、鉛筆画調の８パターンを備えている。
【００２９】
水彩画調画像を印刷する場合、本実施形態における画像印刷装置1では、印刷用紙として滲むマット紙を推奨し、インクの種類としてはカラー印刷用インクを用い、印刷時におけるインクの吐出量は写真などを印刷する場合と比較して多めを推奨する。これにより、水彩画調画像を画像印刷装置1で印刷して得られる印刷物は、マット紙にカラーインクが滲むことで水彩画の雰囲気を高めたものとなる。
【００３０】
油彩画調画像を印刷する場合、本実施形態における画像印刷装置1では、印刷用紙として光沢紙を推奨し、インクの種類としてはカラー印刷用インクを用い、印刷時におけるインクの吐出量は写真などを印刷する場合と比較して多めを推奨する。これにより、油彩画調画像を画像印刷装置1で印刷して得られる印刷物は、光沢紙上にインクが厚めに塗られることで油彩画の雰囲気を高めたものとなる。
【００３１】
パステル画調画像を印刷する場合、本実施形態における画像印刷装置1では、印刷用紙として光沢紙を推奨し、インクの種類としてはカラー印刷用インクを用い、印刷時におけるインクの吐出量は写真などを印刷する場合と比較して少なめを推奨する。これにより、パステル画調画像を画像印刷装置1で印刷して得られる印刷物は、淡い色で構成された見た目に柔らかい雰囲気となり、パステル画の雰囲気を高めたものとなる。
【００３２】
色鉛筆画調画像を印刷する場合、本実施形態における画像印刷装置1では、印刷用紙としてマット紙を推奨し、インクの種類としてはカラー印刷用インクを用い、印刷時におけるインクの吐出量は写真などを印刷する場合と比較して少なめを推奨する。これにより、色鉛筆画調画像を画像印刷装置1で印刷して得られる印刷物は、表面の光沢を取り除いたマット紙に薄くインクが付着したものとなり、色鉛筆画のようにあっさりとした画像となる。
【００３３】
水墨画調画像を印刷する場合、本実施形態における画像印刷装置1では、印刷用紙として滲む和紙を推奨し、インクの種類としてはモノクロ印刷用インクを用い、印刷時におけるインクの吐出量は写真などを印刷する場合と比較して多めを推奨する。これにより、水墨画調画像を画像印刷装置1で印刷して得られる印刷物は、モノクロのインクが和紙に滲むことにより水墨画の雰囲気が高まったものとなる。
【００３４】
石膏デッサン画調画像を印刷する場合、本実施形態における画像印刷装置1では、印刷用紙としてオフホワイトの用紙を推奨し、インクの種類としてはモノクロ印刷用インクを用い、印刷時におけるインクの吐出量は写真などを印刷する場合と略同じ量を推奨する。これにより、石膏デッサン画調画像を画像印刷装置1で印刷して得られる印刷物は、本物のデッサン画のようにあっさりとしているものの深みも有した画像となる。
【００３５】
クロッキー画調画像を印刷する場合、本実施形態における画像印刷装置1では、印刷用紙としてオフホワイトの用紙を推奨し、インクの種類としてはモノクロ印刷用インクを用い、印刷時におけるインクの吐出量は写真などを印刷する場合と比較して少なめを推奨する。これにより、クロッキー画調画像を画像印刷装置1で印刷して得られる印刷物は、クロッキー画と同様に下書きのようなあっさりとした画像となる。
【００３６】
鉛筆画調画像を印刷する場合、本実施形態における画像印刷装置1では、印刷用紙としてマット紙を推奨し、インクの種類としてはモノクロ印刷用インクを用い、印刷時におけるインクの吐出量は写真などを印刷する場合と略同じ量を推奨する。これにより、鉛筆画調画像を画像印刷装置1で印刷して得られる印刷物は、黒色の鉛筆で描いた柔らかい雰囲気の画像となる。
【００３７】
このような印刷を実行するためにＲＯＭ42には、図３に示したように、絵画調パターンデータ42a、推奨絵画調パターンデータ42b、推奨印刷用紙データ42c、推奨インク吐出量データ42g、絵画調変換プログラム42i、表示制御プログラム42o、印刷データ生成プログラム42r、印刷制御プログラム42tが記憶されている。
【００３８】
絵画調パターンデータ42aは、写真画像などの原画像を絵画調画像に変換するときに色鉛筆画調やパステル画調など、絵の表現調をどのような風合いの絵に変換するかについての変換情報であり、ＲＯＭ42は、この絵画調パターンデータ42aが記憶されることにより絵画調パターン記憶手段として機能する。具体的な絵画調パターンとしては、上述したように、水彩画調、油彩画調、パステル画調、色鉛筆画調、水墨画調、石膏デッサン画調、クロッキー画調、鉛筆画調の計８種類の絵画調パターンが記憶されている。なお、本発明がこの８種類の絵画調パターンに限定されるものではない。
【００３９】
推奨絵画調パターンデータ42bは、インクの種類とそれぞれのインクで印刷を行うのに適した絵画調パターンとの対応関係である推奨絵画調パターンの情報であり、ＲＯＭ42は、この推奨絵画調パターンデータ42bが記憶されることにより推奨絵画調パターン記憶手段として機能する。具体的な推奨絵画調パターンは、図４に示すように、カラー印刷用インクの場合には水彩画調、油彩画調、パステル画調、色鉛筆画調の４種類の絵画調パターンであり、モノクロ印刷用インクの場合には水墨画調、石膏デッサン画調、クロッキー画調、鉛筆画調の４種類の絵画調パターンである。
【００４０】
推奨印刷用紙データ42cは、絵画調パターンデータ42aにおける複数の絵画調パターンとそれぞれの絵画調パターンに変換した絵画調画像を印刷するのに適した印刷用紙との対応関係である推奨印刷用紙の情報であり、ＲＯＭ42は、この推奨印刷用紙データ42cが記憶されることにより推奨印刷用紙記憶手段として機能する。具体的な推奨印刷用紙は、水彩画調の場合には滲むマット紙、油彩画調の場合には光沢紙、パステル画調の場合には光沢紙、色鉛筆画調の場合にはマット紙、水墨画調の場合には滲む和紙、石膏デッサン画調の場合にはオフホワイトの用紙、クロッキー画調の場合にはオフホワイトの用紙、鉛筆画調の場合にはマット紙である。
【００４１】
推奨インク吐出量データ42gは、推奨絵画調パターンに含まれるいずれかの絵画調パターンで、この絵画調パターンに対応する推奨印刷用紙に印刷を実行するのに適したインクの吐出量である推奨インク吐出量の情報であり、ＲＯＭ42は、この推奨インク吐出量データ42gが記憶されることによって推奨インク吐出量記憶手段として機能する。
【００４２】
具体的な推奨インク吐出量の情報は、図４に示したように、写真やスキャン画像などの原画像を通常印刷した場合のインクの吐出量をａとした場合、水彩画調画像を印刷する場合にはインクの突出量を１．３ａ乃至１．５ａ、好ましくは、１．４ａと多くし、油彩画調画像を印刷する場合にはインクの突出量を１．２ａ乃至１．４ａ、好ましくは、１．３ａと多くし、パステル画調画像を印刷する場合にはインクの突出量を０．５ａ乃至０．７ａ、好ましくは、０．６ａと少なくし、色鉛筆画調画像を印刷する場合にはインクの突出量を０．６ａ乃至０．８ａ、好ましくは、０．７ａと少なくし、水墨画調画像を印刷する場合にはインクの突出量を１．３ａ乃至１．５ａ、好ましくは、１．４ａと多くし、石膏デッサン画調画像を印刷する場合にはインクの突出量をａ乃至１．２ａ、好ましくは、１．１ａと多くし、クロッキー画調画像を印刷する場合にはインクの突出量を０．６ａ乃至０．８ａ、好ましくは、０．７ａと少なくし、鉛筆画調画像を印刷する場合にはインクの突出量を０．９ａ乃至１．１ａ、好ましくは、ａ（１．０ａ）とする旨の情報である。なお、範囲を設けているのは、ユーザが印刷設定を行うときにインク吐出量として範囲内で設定可能とするためであり、ユーザがインク吐出量を設定しない場合には好適な数値を用いる。
【００４３】
絵画調変換プログラム42iは、絵画調パターンデータ42aに記憶されたパターンの中からユーザが指定した絵画調に原画像を変換するプログラムである。
【００４４】
表示制御プログラム42oは、表示部46を制御するためのプログラムである。例えば、ユーザが絵画調変換を行う操作を行ったときにインク装着部25に装着されたインクの種類に対応する推奨絵画調パターンを表示部46に選択肢として表示させる制御や、ユーザが印刷を実行する操作を行ったときに推奨印刷用紙を表示部46に表示させる制御や、推奨インク吐出量を表示部46に表示させる制御を行うためのプログラムである。すなわち、制御部41は、表示制御プログラム42oを読み込んで処理を実行することにより、推奨絵画調パターン報知手段、推奨印刷用紙報知手段、推奨インク吐出量報知手段として機能することとなる。
【００４５】
印刷データ生成プログラム42rは、絵画調画像などの画像データから印刷用の印刷データを生成するプログラムである。
【００４６】
印刷制御プログラム42tは、印刷データ生成プログラム42rが生成した印刷データを、ユーザが設定した書式設定の情報や推奨インク吐出量の情報を反映させた状態で印刷を実行するように印刷部48を制御するプログラムである。
【００４７】
また、ＲＡＭ43には、図３に示したように、原画像記憶領域43a、絵画調画像記憶領域43c、印刷条件記憶領域43g、印刷データ記憶領域43iが設けられている。
【００４８】
原画像記憶領域43aは、可搬型記憶媒体から読み込んだ原画像を記憶する領域である。絵画調画像記憶領域43cは、絵画調変換した画像を記憶する領域である。印刷条件記憶領域43gは、ユーザが設定した又は初期設定におけるインクの吐出量の情報や、印刷の品質情報（写真画質、高品質、通常品質、高速印刷など）、印刷するサイズなどの印刷条件の情報が記憶される領域である。印刷データ記憶領域43iは、印刷データ生成プログラム42rが制御部41に読み込まれて生成された印刷データが記憶される領域である。
【００４９】
次に、絵画調画像の印刷を実行するための制御フローについて図５のフローチャートを用いて述べる。表示部46に通常印刷と絵画調印刷モードとの選択画面が表示され、この表示上でユーザが絵画調印刷モードを選択し（ステップＳ１０１）、可搬型記憶媒体などから所定の原画像を選択すると、制御部41は、可搬型記憶媒体から原画像を読み込む原画像読込処理（ステップＳ１０５）を実行し、読み込んだ原画像をＲＡＭ43の原画像記憶領域43aに記憶させる。
【００５０】
そして、制御部41は、インク情報取得部50からインク情報を取得してインク装着部25に装着されているインクがカラー印刷用インクであるかモノクロ印刷用インクであるかを判定するインク情報取得処理（ステップＳ１１１）を実行する。インク情報取得処理（ステップＳ１１１）の後、制御部41は、インク装着部25に装着されたインクで印刷するのに適した絵画調パターンである推奨絵画調パターンの情報を得るため、ＲＯＭ42に記憶された推奨絵画調パターンデータ42bを読み込む推奨絵画調パターン読込処理（ステップＳ１１５）を実行する。
【００５１】
推奨絵画調パターン読込処理（ステップＳ１１５）の後、制御部41は、ＲＯＭ42に記憶された表示制御プログラム42oを読み込み、推奨絵画調パターンを選択肢として表示部46に表示させることでユーザに推奨絵画調パターンを報知する推奨絵画調パターン報知処理（ステップＳ１２１）を実行する。この推奨絵画調パターン報知処理（ステップＳ１２１）においては、インク装着部25に装着されたインクがカラー印刷用インクの場合、図６（ａ）に示すように、カラー印刷用インクのときの推奨絵画調パターンである「水彩」、「油彩」、「パステル」、「色鉛筆」のアイコンと、『水墨画、石膏デッサン、クロッキー、鉛筆画等の効果を選ぶときには「モノクロインク」をセットしてください』というメッセージと、「戻る」や「インク交換」のアイコンと、が表示部46に表示される。また、インク装着部25に装着されたインクがモノクロ印刷用インクの場合、図６（ｂ）に示すように、モノクロ印刷用インクのときの推奨絵画調パターンである「水墨画」、「石膏デッサン」、「クロッキー」、「鉛筆画」のアイコンと、『水彩、油彩、パステル、色鉛筆等の効果を選ぶときには「３色カラーインク」をセットしてください』というメッセージと、「戻る」や「インク交換」のアイコンと、を備えた画面が表示部46に表示される。
【００５２】
推奨絵画調パターン報知処理（ステップＳ１２１）の後、ユーザが「インク交換」のアイコンを選択した場合（ステップＳ１２５）、制御部41は、インク情報取得処理（ステップＳ１１１）を再び実行し、推奨絵画調パターン読込処理（ステップＳ１１５）及び推奨絵画調パターン報知処理（ステップＳ１２１）を順に実行する。
【００５３】
推奨絵画調パターン報知処理（ステップＳ１２１）の後、ユーザが推奨絵画調パターンのいずれかのアイコンを選択した場合（ステップＳ１２７）、制御部41は、ＲＯＭ42に記憶された絵画調変換プログラム42iを読み込み、原画像を絵画調に変換する絵画調変換処理（ステップＳ１３１）を実行し、絵画調画像をＲＡＭ43の絵画調画像記憶領域43cに記憶させる。なお、推奨絵画調パターン報知処理（ステップＳ１２１）においてユーザが「戻る」を選択した場合、通常印刷と絵画調印刷モードとの選択画面に戻る。
【００５４】
絵画調変換処理（ステップＳ１３１）の後、制御部41は、変換した絵画調パターンを印刷するのに適した推奨印刷用紙の情報を得るため、ＲＯＭ42の推奨印刷用紙データ42cを読み込む推奨印刷用紙情報読込処理（ステップＳ１３５）を実行し、推奨印刷用紙の情報を表示部46に表示させることでユーザに推奨印刷用紙を報知する推奨印刷用紙報知処理（ステップＳ１４１）を実行する。この推奨印刷用紙報知処理（ステップＳ１４１）においては、例えば、絵画調パターンが水彩画調の場合、図６（ｃ）に示すように、「給紙トレイに滲むマット紙をセットし、セット完了を押してください 。」という表示と、「戻る」、「セット完了」のアイコンと、が表示部46に表示される。
【００５５】
ユーザが印刷用紙10を給紙トレイ18に装填し（ステップＳ１４５）、「セット完了」のアイコンを選択すると、制御部41は、ＲＯＭ42に記憶された表示制御プログラム42oを読み込み、表示部46に印刷条件を設定させる画面を表示させ、印刷条件の設定を行う印刷条件設定処理（ステップＳ１５１）を実行する。この印刷条件設定処理（ステップＳ１５１）では、インクの吐出量や印刷の品質などをユーザに設定させる。例えば、インクの吐出量の設定において制御部41は、ＲＯＭ42に記憶された表示制御プログラム42oを読み込み、図６（ｄ）に示すように、表示部46に、絵画調効果印刷を行う場合のアイコンとして「多」「中」「少」「自動設定」を表示し、また、通常の印刷を行う場合のアイコンとして「通常印刷」を表示し、さらに「戻る」や「印刷実行」といったアイコンを表示させる。そして、ユーザが絵画調効果におけるアイコンを選択した場合には、推奨インク吐出量データ42gを読み込み、対応するインクの吐出量を印刷条件として設定する。例えば、絵画調パターンが水彩画であれば、「多」が選択されれば１．５ａ、「中」であれば１．４ａ、「少」であれば１．３ａ、「自動設定」であれば１．４ａをインクの吐出量として設定する。そして、制御部41は、印刷条件設定処理（ステップＳ１５１）で設定された印刷条件をＲＡＭ43の印刷条件記憶領域43gに記憶させる。
【００５６】
なお、推奨印刷用紙報知処理（ステップＳ１４１）において表示部46に表示された推奨印刷用紙をユーザが所有していない場合、通常の印刷用紙（インクジェット紙など）をセットして「セット完了」のアイコンを選択することで印刷条件設定処理（ステップＳ１５１）に進むことができる。そして、印刷条件設定処理（ステップＳ１５１）では、「通常印刷」のアイコンを選択することでインクの吐出量を通常の印刷におけるインク吐出量であるａに設定できる。
【００５７】
次に、制御部41は、ＲＯＭ42の印刷データ生成プログラム42rを読み込み、絵画調画像から印刷データを生成し、印刷データ記憶領域43iに印刷データを記憶させる。そして、制御部41は、表示制御プログラム42oを読み込んで印刷を実行して良いか否かを確認する画面を表示部46に表示させる印刷実行判定処理（ステップＳ１５５）を実行する。
【００５８】
印刷実行判定処理（ステップＳ１５５）においてユーザが印刷実行の操作をすると、制御部41は、印刷部48に印刷を実行させる印刷実行処理（ステップＳ１６１）を実行する。この印刷実行処理（ステップＳ１６１）では、制御部41は、ＲＯＭ42に記憶された印刷制御プログラム42tを読み込むとともにＲＡＭ43の印刷条件記憶領域43gに記憶された印刷条件を読み込み、設定された印刷条件（インクの吐出量を含む）で印刷を実行する。なお、印刷実行判定処理（ステップＳ１５５）においてユーザが印刷を行わない旨を選択した場合、印刷を実行せずに絵画調印刷モードを終了する。
【００５９】
このように本実施形態における画像印刷装置1は、変換した絵画調パターンに応じて印刷用紙やインクの吐出量を変化させて印刷することにより、絵画調に変換した画像による印刷の質感を高くした絵画の印刷を行うことができる。
【００６０】
そして、本実施形態における画像印刷装置1は、カラー印刷用インクとモノクロ印刷用インクとが交換可能とされたインク装着部25を備え、このインク装着部25に装着されたインクで印刷を行うのに適した絵画調パターンをユーザに報知し、推奨絵画調パターンの中から絵画調パターンをユーザに選択させる構成としている。これにより、インクの種類に適した絵画調パターンに変換して得られる絵画調画像を印刷できることとなり、色合いが優れた印刷物を作成できる。なお、上述した実施形態では、インクの種類によってユーザが選択できる絵画調パターンを制限しているが、推奨絵画調パターンを報知するものの推奨絵画調パターン以外の絵画調パターンをユーザが選択できるように構成してもよい。すなわち、インクの種類に対応した推奨絵画調パターンをユーザに報知できる構成であれば他の構成であってもよい。
【００６１】
また、本実施形態における画像印刷装置1は、絵画調パターンに適した印刷用紙をユーザに推奨し、推奨印刷用紙を給紙トレイ18にセットさせる構成としているため、ユーザが推奨印刷用紙を有していれば、実際の絵画に使用する紙質に近い用紙に印刷が実行できるため、印刷物の質感を高めることができる。例えば、水墨画調の画像を和紙に印刷することで、実際の水墨画に近い印刷物を作成できることとなる。そして、各絵画調パターンに対応した推奨印刷用紙の情報がＲＯＭ42に記憶されているため、画像印刷装置1で変換可能な全ての絵画調パターンにおいて、印刷物の質感を高めることができる。
【００６２】
さらに、本実施形態における画像印刷装置1は、印刷時にインク吐出量も絵画調パターンに合わせて変化させることができるため、油彩画のように顔料が厚みを有している風合いや水彩画のように顔料が滲んでいる風合いなど、実際の絵画調に近い風合いの印刷物を作成できることとなる。そして、各絵画調パターンに対応した推奨インク吐出量の情報がＲＯＭ42に記憶されているため、画像印刷装置1で変換可能な全ての絵画調パターンにおいて、実際の絵画調に近い風合いの印刷物を作成できることとなる。
【００６３】
また、本実施形態における画像印刷装置1が絵画調パターンとして水彩画調パターン、油彩画調パターン、パステル画調パターン、色鉛筆画調パターン、水墨画調パターン、石膏デッサン画調パターン、クロッキー画調パターン、鉛筆画調パターンの８種類を備えているため、ユーザは、様々な趣向の絵画調変換を楽しむことができる。
【００６４】
そして、カラー印刷用インクの場合には水彩画調パターン、油彩画調パターン、パステル画調パターン、色鉛筆画調パターンを推奨絵画調パターンとすることにより、カラーの絵画調画像をカラーで印刷することができる。また、モノクロ印刷用インクの場合には水墨画調パターン、石膏デッサン画調パターン、クロッキー画調パターン、鉛筆画調パターンを推奨絵画調パターンとすることにより、カラー印刷用インクのみでは十分に表現できないグレーの色などを細かに表現できるため、実際の絵画調に近い風合いの印刷物を作成できることとなる。
【００６５】
推奨絵画調パターンや推奨印刷用紙、推奨インク吐出量について表示部46に表示することでユーザに報知する構成とすることにより、ユーザは表示部46の表示に従って操作をするだけで簡単に絵画調画像を印刷できることとなる。
【００６６】
なお、上述した実施形態においては、印刷時にインクの吐出量の制御を行っているが、滲みについても制御する構成とすることもできる。すなわち、水彩画や水墨画などの滲みが味わいであるような絵画を印刷する場合、滲ませたい箇所ではインクの吐出量を増やし、滲ませたくない箇所ではインクの吐出量を減らすといった制御を行う構成としてもよい。
【００６７】
また、上述したフローチャートでは、装着されているインクの情報を取得して対応する推奨絵画調パターンをユーザに報知する構成としているが、８種類の絵画調パターンの中からユーザに所望の絵画調パターンを選択させ、絵画調変換を実行した後に絵画調パターンに対応するインクをユーザに推奨する構成としてもよい。
【００６８】
また、上述した実施形態における各種処理は、コンピュータに実現させることのできる画像印刷プログラムとして、例えば磁気ディスク、光ディスク、半導体メモリなどの記憶媒体に書き込んだ状態で各種装置に適用する、あるいは、通信媒体により伝送して各種装置に適用することも可能である。このように本実施形態で述べた各処理を実行させるための画像印刷プログラムを他の電子機器などで実行させることにより、上述した画像印刷装置1を用いた場合と同様の作用効果が得られる。なお、コンピュータは、画像印刷装置1に内蔵されたコンピュータに限定されるわけではなく、上記のような画像印刷プログラムを読み取り可能であって、読み取ったプログラムに従って制御動作を行うＣＰＵなどの演算装置を備えているあらゆる電子機器に組み込まれたコンピュータを含む。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲とに含まれる。
【００７０】
以下に、本願出願の最初の特許請求の範囲に記載された発明を付記する。
[１]  原画像を絵画調画像に変換して印刷する絵画調印刷の機能を備えた画像印刷装置であって、
カラー印刷用インクとモノクロ印刷用インクとが交換可能とされたインク装着手段と、
前記インク装着手段に装着されたインクの種類情報を取得するインク情報取得手段と、
複数の絵画調パターンが記憶された絵画調パターン記憶手段と、
前記インクの種類とそれぞれのインクで印刷を行うのに適した絵画調パターンとの対応関係である推奨絵画調パターンの情報が記憶された推奨絵画調パターン記憶手段と、
前記推奨絵画調パターンをユーザに報知する推奨絵画調パターン報知手段と、
原画像をユーザが選択した絵画調パターンの絵画調画像に変換する絵画調変換手段と、
前記絵画調パターン記憶手段に記憶された複数の絵画調パターンとそれぞれの絵画調パターンに変換した絵画調画像を印刷するのに適した印刷用紙との対応関係である推奨印刷用紙の情報が記憶された推奨印刷用紙記憶手段と、
前記推奨印刷用紙をユーザに報知する推奨印刷用紙報知手段と、
印刷を実行する印刷手段と、
を備えたことを特徴とする画像印刷装置。
[２]  前記推奨絵画調パターンに含まれるいずれかの絵画調パターンで、該絵画調パターンに対応する前記推奨印刷用紙に印刷を実行するのに適したインクの吐出量である推奨インク吐出量の情報が記憶された推奨インク吐出量記憶手段と、
前記推奨インク吐出量で印刷を実行するように前記印刷手段を制御する印刷制御手段と、
を備えることを特徴とする請求項１に記載の画像印刷装置。
[３]  前記絵画調パターン記憶手段には、水彩画調、油彩画調、パステル画調、色鉛筆画調、水墨画調、石膏デッサン画調、クロッキー画調、鉛筆画調の８種類の絵画調パターンが記憶されていることを特徴とする請求項１又は請求項２に記載の画像印刷装置。
[４]  前記カラー印刷用インクに対応する前記推奨絵画調パターンは、前記水彩画調、前記油彩画調、前記パステル画調、前記色鉛筆画調であり、
前記モノクロ印刷用インクに対応する前記推奨絵画調パターンは、前記水墨画調、前記石膏デッサン画調、前記クロッキー画調、前記鉛筆画調であることを特徴とする請求項３に記載の画像印刷装置。
[５]  前記水彩画調に対応する前記推奨印刷用紙は滲むマット紙、
前記油彩画調に対応する前記推奨印刷用紙は光沢紙、
前記パステル画調に対応する前記推奨印刷用紙は前記光沢紙、
前記色鉛筆画調に対応する前記推奨印刷用紙はマット紙、
前記水墨画調に対応する前記推奨印刷用紙は滲む和紙、
前記石膏デッサン画調に対応する前記推奨印刷用紙はオフホワイトの用紙、
前記クロッキー画調に対応する前記推奨印刷用紙は前記オフホワイトの用紙、
前記鉛筆画調に対応する前記推奨印刷用紙は前記マット紙であることを特徴とする請求項３又は請求項４に記載の画像印刷装置。
[６]  表示手段を備え、
前記推奨絵画調パターン報知手段は、前記推奨絵画調パターンを選択肢として前記表示手段に表示させる制御を実行し、
前記推奨印刷用紙報知手段は、前記推奨印刷用紙をユーザに推奨する表示を前記表示手段に表示させる制御を実行することを特徴とする請求項１乃至請求項５のいずれか１項に記載の画像印刷装置。
[７]  前記推奨インク吐出量をユーザに報知する推奨インク吐出量報知手段を備え、該推奨インク吐出量報知手段は、前記推奨インク吐出量を前記表示手段に表示させる制御を実行することを特徴とする請求項６に記載の画像印刷装置。
[８]  複数の絵画調パターンが記憶された絵画調パターン記憶手段を有して、原画像をいずれかの前記絵画調パターンの絵画調画像に変換し、該絵画調画像を印刷する絵画調印刷の機能を備えた画像印刷装置で絵画調画像を印刷する方法であって、
カラー印刷用インクとモノクロ印刷用インクとが交換可能とされたインク装着手段に装着されたインクの情報を取得するインク情報取得処理と、
前記インクの種類とそれぞれのインクで印刷を行うのに適した絵画調パターンとの対応関係である推奨絵画調パターンの情報が記憶された推奨絵画調パターン記憶手段から前記推奨絵画調パターンを読み込む推奨絵画調パターン読込処理と、
前記推奨絵画調パターンをユーザに報知する推奨絵画調パターン報知処理と、
原画像を、前記全絵画調パターンの中からユーザが選択した絵画調パターンの絵画調画像に変換する絵画調変換処理と、
前記絵画調パターン記憶手段に記憶された複数の絵画調パターンとそれぞれの絵画調パターンに変換した絵画調画像を印刷するのに適した印刷用紙との対応関係である推奨印刷用紙の情報が記憶された推奨印刷用紙記憶手段から前記推奨印刷用紙を読み込む推奨印刷用紙読込処理と、
前記推奨印刷用紙をユーザに報知する推奨印刷用紙報知処理と、
印刷を実行する印刷処理と、
を実行することを特徴とする画像印刷方法。
[９]  前記推奨印刷用紙報知処理の後、ユーザが推奨印刷用紙を装填した場合、
前記推奨絵画調パターンに含まれるいずれかの絵画調パターンで、該絵画調パターンに対応する前記推奨印刷用紙に印刷を実行するのに適したインクの吐出量である推奨インク吐出量の情報が記憶された推奨インク吐出量記憶手段から前記推奨インク吐出量を読み込む推奨インク吐出量読込処理を実行し、
前記印刷処理において、前記推奨インク吐出量で印刷を実行するよう制御する印刷制御処理を実行することを特徴とする請求項８に記載の画像印刷方法。
[１０]  前記絵画調パターン記憶手段には、水彩画調、油彩画調、パステル画調、色鉛筆画調、水墨画調、石膏デッサン画調、クロッキー画調、鉛筆画調の８種類の絵画調パターンが記憶されていることを特徴とする請求項８又は請求項９に記載の画像印刷方法。
[１１]  前記カラー印刷用インクに対応する前記推奨絵画調パターンは、前記水彩画調、前記油彩画調、前記パステル画調、前記色鉛筆画調であり、
前記モノクロ印刷用インクに対応する前記推奨絵画調パターンは、前記水墨画調、前記石膏デッサン画調、前記クロッキー画調、前記鉛筆画調であることを特徴とする請求項１０に記載の画像印刷方法。
[１２]  前記水彩画調に対応する前記推奨印刷用紙は滲むマット紙、
前記油彩画調に対応する前記推奨印刷用紙は光沢紙、
前記パステル画調に対応する前記推奨印刷用紙は前記光沢紙、
前記色鉛筆画調に対応する前記推奨印刷用紙はマット紙、
前記水墨画調に対応する前記推奨印刷用紙は滲む和紙、
前記石膏デッサン画調に対応する前記推奨印刷用紙はオフホワイトの用紙、
前記クロッキー画調に対応する前記推奨印刷用紙は前記オフホワイトの用紙、
前記鉛筆画調に対応する前記推奨印刷用紙は前記マット紙であることを特徴とする請求項１０又は請求項１１に記載の画像印刷方法。
[１３]  表示手段を備えた画像印刷装置において実行する画像印刷方法であって、
前記推奨絵画調パターン報知処理では、前記推奨絵画調パターンを選択肢として前記表示手段に表示させる制御を実行し、
前記推奨印刷用紙報知処理では、前記推奨印刷用紙をユーザに推奨する表示を前記表示手段に表示させる制御を実行することを特徴とする請求項８乃至請求項１２のいずれか１項に記載の画像印刷方法。
[１４]  前記推奨インク吐出量読込処理の後、前記推奨インク吐出量をユーザに報知する推奨インク吐出量報知処理を実行し、
該推奨インク吐出量報知処理では、前記推奨インク吐出量を前記表示手段に表示させる制御を実行することを特徴とする請求項１３に記載の画像印刷方法。
[１５]  複数の絵画調パターンが記憶された絵画調パターン記憶手段を有して、原画像をいずれかの絵画調パターンの絵画調画像に変換し、該絵画調画像を印刷する絵画調印刷の機能を備えた画像印刷装置に実行させるための画像印刷プログラムであって、
カラー印刷用インクとモノクロ印刷用インクとが交換可能とされたインク装着手段に装着されたインクの情報を取得するインク情報取得処理と、
前記インクの種類とそれぞれのインクで印刷を行うのに適した絵画調パターンとの対応関係である推奨絵画調パターンの情報が記憶された推奨絵画調パターン記憶手段から前記推奨絵画調パターンを読み込む推奨絵画調パターン読込処理と、
前記推奨絵画調パターンをユーザに報知する推奨絵画調パターン報知処理と、
原画像を、前記全絵画調パターンの中からユーザが選択した絵画調パターンの絵画調画像に変換する絵画調変換処理と、
前記絵画調パターン記憶手段に記憶された複数の絵画調パターンとそれぞれの絵画調パターンに変換した絵画調画像を印刷するのに適した印刷用紙との対応関係である推奨印刷用紙の情報が記憶された推奨印刷用紙記憶手段から前記推奨印刷用紙を読み込む推奨印刷用紙読込処理と、
前記推奨印刷用紙をユーザに報知する推奨印刷用紙報知処理と、
印刷を実行する印刷処理と、
を実行させることを特徴とするコンピュータ読み取り可能な画像印刷プログラム。
[１６]  前記推奨印刷用紙報知処理の後、ユーザが推奨印刷用紙を装填した場合、
前記推奨絵画調パターンに含まれるいずれかの絵画調パターンで、該絵画調パターンに対応する前記推奨印刷用紙に印刷を実行するのに適したインクの吐出量である推奨インク吐出量の情報が記憶された推奨インク吐出量記憶手段から前記推奨インク吐出量を読み込む推奨インク吐出量読込処理を実行させ、
前記印刷処理において、前記推奨インク吐出量で印刷を実行するよう制御する印刷制御処理を実行させることを特徴とする請求項１５に記載のコンピュータ読み取り可能な画像印刷プログラム。
[１７]  前記絵画調パターン記憶手段には、水彩画調、油彩画調、パステル画調、色鉛筆画調、水墨画調、石膏デッサン画調、クロッキー画調、鉛筆画調の８種類の絵画調パターンが記憶されていることを特徴とする請求項１５又は請求項１６に記載のコンピュータ読み取り可能な画像印刷プログラム。
[１８]  前記カラー印刷用インクに対応する前記推奨絵画調パターンは、前記水彩画調、前記油彩画調、前記パステル画調、前記色鉛筆画調であり、
前記モノクロ印刷用インクに対応する前記推奨絵画調パターンは、前記水墨画調、前記石膏デッサン画調、前記クロッキー画調、前記鉛筆画調であることを特徴とする請求項１７に記載のコンピュータ読み取り可能な画像印刷プログラム。
[１９]  前記水彩画調パターンに対応する前記推奨印刷用紙は滲むマット紙、
前記油彩画調パターンに対応する前記推奨印刷用紙は光沢紙、
前記パステル画調パターンに対応する前記推奨印刷用紙は前記光沢紙、
前記色鉛筆画調パターンに対応する前記推奨印刷用紙はマット紙、
前記水墨画調パターンに対応する前記推奨印刷用紙は滲む和紙、
前記石膏デッサン画調パターンに対応する前記推奨印刷用紙はオフホワイトの用紙、
前記クロッキー画調パターンに対応する前記推奨印刷用紙は前記オフホワイトの用紙、
前記鉛筆画調パターンに対応する前記推奨印刷用紙は前記マット紙であることを特徴とする請求項１７又は請求項１８に記載のコンピュータ読み取り可能な画像印刷プログラム。
[２０]  表示手段を備えた画像印刷装置に実行させる画像印刷プログラムであって、
前記推奨絵画調パターン報知処理では、前記推奨絵画調パターンを選択肢として前記表示手段に表示する制御を実行させ、
前記推奨印刷用紙報知処理では、前記推奨印刷用紙をユーザに推奨する表示を前記表示手段に表示する制御を実行させることを特徴とする請求項１５乃至請求項１９のいずれか１項に記載のコンピュータ読み取り可能な画像印刷プログラム。
[２１]  前記推奨インク吐出量読込処理の後、前記推奨インク吐出量をユーザに報知する推奨インク吐出量報知処理を実行させ、
該推奨インク吐出量報知処理では、前記推奨インク吐出量を前記表示手段に表示させる制御を実行させることを特徴とする請求項２０に記載のコンピュータ読み取り可能な画像印刷プログラム。
【符号の説明】
【００７１】
1   画像印刷装置                      2   筐体
3   キーボード                        5   排紙口
6   記憶媒体挿入口                    8   タッチパネル
10  印刷用紙                          15  取っ手
16  空腔部                            18  給紙トレイ
19  ピックアップローラ
20a,20b  搬送ローラ
21  印刷ヘッド
22a,22b  排紙ローラ
25  インク装着部
41  制御部
42  ＲＯＭ
42a 絵画調パターンデータ              42b 推奨絵画調パターンデータ
42c 推奨印刷用紙データ                42g 推奨インク吐出量データ
42i 絵画調変換プログラム              42o 表示制御プログラム
42r 印刷データ生成プログラム          42t 印刷制御プログラム
43  ＲＡＭ
43a 原画像記憶領域                    43c 絵画調画像記憶領域
43g 印刷条件記憶領域                  43i 印刷データ記憶領域
45  入力部                            46  表示部
48  印刷部                            49  音声出力部
50  インク情報取得部
【図１】
0005846406.tif 000002
【図２】
0005846406.tif 000003
【図３】
0005846406.tif 000004
【図４】
0005846406.tif 000005
【図５】
0005846406.tif 000006
【図６】
0005846406.tif 000007